(57)【要約】【課題】本体を押すことにより電源の入り切り操作を可能とした電灯において、スイッチ操作が確実で、かつ、不意にスイッチが作動してしまう心配のない携帯電灯を提供する。【解決手段】光源と電源と電源の供給を入り切りするスイッチを機器本体に内蔵し、機器外観のある一面に、一面の略全域乃至一部を覆う外装片を係止し、外装片を外部から押すことにより外装片内側に設置したスイッチを入り切りする構成において、機器本体と前記外装片の間に、制限部品が嵌まる所定のロック位置を設け、制限部品を動かして、外装片の動きを制限、解除できるよう構成した。【選択図】図３
2019145240.tif 000002
【特許請求の範囲】
【請求項１】
光源と電源と電源の供給を入り切りするスイッチを機器本体に内蔵し、機器外面のある一面に、一面の略全域乃至一部を覆う外装片が、一面の内部方向と外部方向に往復動可能な状態で係止され、
機器の外部方向に前記外装片が付勢されるよう、弾性を持った付勢手段を有しており、
前記外装片を外部から押すことにより前記スイッチが動作する構成において、
機器本体と前記外装片の間にあり、前記外装片の往復動を制限するロック位置と、往復動の制限を解除する位置への移動が可能な制限部品を有することを特徴とする携帯電灯。
【請求項２】
外装片を機器の外部方向に付勢するための付勢手段が、前記外装片の外輪に付勢していて、前記外装片のほぼ中央の内側にスイッチを配置したことを特徴とする請求項１に記載の携帯電灯。
【請求項３】
外装片の往復動の制限や解除を行う制限部品を、前記外装片の外輪付近に複数設け、
各々の前記制限部品をすべて連結した一体の連結制限部品を有し、
前記連結制限部品の一部を操作することにより、複数のロック位置に対し一括して制限や解除の操作ができることを特徴とする請求項１に記載の携帯電灯。
【請求項４】
薄板状の弾性片を外装片の外輪付近に複数箇所に設け、前記外装片を機器の外部方向に付勢するための付勢手段として用い、前記外装片の外輪を付勢したことを特徴とする請求項１または２に記載の携帯電灯。
【発明の詳細な説明】
【技術分野】
【０００１】
本発明は、電池を電源とし、夜間もしくは暗所にて使用される携帯電灯に関するものである。
【背景技術】
【０００２】
近年の災害リスクの高まり、高齢化の進行にともない、より安心安全な携帯電灯への潜在的な需要が高まっている。そのような中、枕元などにおいて使用し、電灯本体を手で押して簡単に操作でき、さらに非常時には電灯を外に持ち出して使えるように設計されたものが実用化されている。本体底面にスイッチを位置させ、本体を押すことにより電源を入り切り操作するようなものがある（例えば、特許文献１）。
【０００３】
このような製品は、充電台などの置き台に本体を載せることにより、電灯が容易に傾いたり、ふらついたりすることなく安定して設置することを想定しており、電灯を外に持ち出すときは、置き台から分離するために安定した設置が難しく、また電灯本体を押すなどのスイッチ操作もし難い。
【０００４】
本体の底部中央にスイッチを設け、その部分を床面に押しつけてスイッチを操作する関係上、必ずスイッチ部が最突出しているため、電灯本体を置こうとすると倒れやすく、電源操作のため本体を押そうとするとどうしても不安定になってしまう。
【０００５】
また、持ち運びの途中に、カバンの中などでスイッチ面がどこかに当たると不意にスイッチが作動してしまい、電池を無駄に消費してしまう。使用中においても、スイッチ面がどこかに当たると、不意に消灯してしまうという問題がある。
【先行技術文献】
【特許文献】
【０００６】
【特許文献１】特開２０１０−１７７１４４号公報
【発明の概要】
【発明が解決しようとする課題】
【０００７】
特許文献１のように、本体を押すことにより電源の入り切り操作を可能とした電灯において、専用の置き台が無くとも安定して設置することができ、スイッチ操作が確実で、また本体を外に持ち出した場合も、不意にスイッチが作動してしまうような心配がない携帯電灯を提供することを目的とする。
【課題を解決するための手段】
【０００８】
光源と電源と電源の供給を入り切りするスイッチを機器本体に内蔵し、機器外面のある一面に、一面の略全域乃至一部を覆う外装片が、一面の内部方向と外部方向に往復動可能な状態で係止され、機器の外部方向に前記外装片が付勢されるよう、弾性を持った付勢手段を有している。外装片を外部から押すことによりスイッチが動作する構成において、機器本体と外装片の間にあり、外装片の往復動を制限するロック位置と、往復動の制限を解除する位置への移動が可能な制限部品で構成する。
【発明の効果】
【０００９】
本発明によれば、機器の一面を押してスイッチ操作ができるので、暗闇でもすばやく操作ができる。機器の一面を構成する外装片のため、外装片を底にして置いても安定設置できるため、置き台の有無に関係なく操作は確実である。安定した底面を別に作りスイッチ
操作用の外装片を上面にしても良く、デザイン上の制約は無い。外装片の往復動を制限する機能を備えているので、必要に応じてスイッチの作動を制限、解除することができるため、持ち運びの際や携帯電灯の使用中に不意にスイッチが切り替わることがない。
【００１０】
なお、制限部品とロック位置については、機器本体と外装片の間の任意の箇所で、ある隙間に合わせて制限部品が嵌まる所定のロック位置を設け、所定のロック位置まで制限部品を動かすと、外装片の往復動に制限がかかり、他の位置に動かすと制限が解除されるようにすれば、より機器を構成しやすくなる。
【００１１】
そして、前記外装片を機器の外部方向に付勢するための付勢手段が、外装片の外輪を付勢していて、外装片のほぼ中央の内側にスイッチを配置した構成にすると、ある一面の外装片のどの部分を押しても、中央のスイッチが押下されるため、面積の広い外装片であっても、スイッチ操作が確実である。なお、外装片の外輪の付勢手段を略均等に配置するとより効果的である。
【００１２】
さらに、外装片の往復動の制限や解除を行う制限部品を、外装片の外輪付近に複数設け、各々の制限部品同士をすべて連結した一体の連結制限部品の一部を操作することにより、複数のロック位置に対し一括して制限や解除の操作ができる構成にすると、１つの動作で簡単に、広い外装片の外輪全体の動きを制限できる。
【００１３】
なお、各々のロック位置をすべて連結した制限部品の一部を機器本体の外部まで延伸し突出させた構成とし、外部に突出させた部分を動かすようにすると、より簡単に広い外装片の外輪全体の動きを制限することができる。
【００１４】
さらに望ましくは、薄板状の弾性片を外装片の外輪付近に複数箇所に設け、外装片を機器の外部方向に付勢するための付勢手段として用い、外装片の外輪を付勢する構成にすると、狭いスペースでも付勢手段に設置がしやすく、大きい面積の外装片でも外輪部各所に複数の付勢手段を簡素で安価に設置できる。
【００１５】
なお、その外装片の外輪の付勢手段を略均等に配置するとより効果的である。
【図面の簡単な説明】
【００１６】
【図１】本発明の実施の形態１における携帯電灯の発光部方向から見た正面図
【図２】同実施の形態１における携帯電灯のスイッチ操作面から見た上面図
【図３】同実施の形態１における携帯電灯の電池収納部方向から見た背面図
【図４】同実施の形態１における携帯電灯の側面図
【図５】図１に示すＡ−Ａの方向に見た断面図
【図６】図５に示すＢ−Ｂの方向に見た断面図
【図７】図１に示すＣ−Ｃの方向に見た断面図
【図８】スイッチカバー２を取り除き、携帯電灯を上面方向（図２の方向）から見た図  で、（ａ）はロックレバー２６がロック位置に嵌まっていない状態を表す図、（ｂ）は  ロックレバー２６がロック位置に嵌まっている状態を表す図
【図９】図５に示すＢ−Ｂ方向に見た断面でスイッチカバー２周辺のみ抜粋した図で、  （ａ）はロックレバー２６の位置を図８（ａ）と対応させた図、（ｂ）はロックレバー  ２６の位置を図８（ｂ）と対応させた図
【図１０】図５に示すＢ−Ｂ方向に見た断面図で、内部機構を省略しスイッチカバー２の係止状態を抜粋表示した図で、（ａ）はスイッチカバー２が傾斜しスイッチ８が押下された状態を表した図、（ｂ）はスイッチカバー２が傾斜せずスイッチ８が押下されていない状態を表した図
【図１１】図１０と同じくロックレバー２６をＰ点で押した状態にて内部機構を省略しない図で、（ａ）はロックレバー２６の位置を図８（ａ）と対応させた図、（ｂ）は、ロックレバー２６の位置を図８（ｂ）と対応させた図
【発明を実施するための形態】
【００１７】
以下、本発明の実施の形態を、図面を参照して説明する。
【００１８】
（実施の形態１）
図１は本発明の実施の形態１における携帯電灯の発光部方向から見た正面図、図２は同実施の形態１における携帯電灯のスイッチ操作面から見た上面図、図３は同実施の形態１における携帯電灯の電池収納部方向から見た背面図である。また、図４は同実施の形態１における携帯電灯の側面図である。図５は図１に示すＡ−Ａの方向に見た断面図、図６は図５に示すＢ−Ｂの方向に見た断面図、図７は図２に示すＣ−Ｃの方向に見た断面図である。
【００１９】
本発明の実施の形態１の携帯電灯は、図１〜図４に示すように、本体ケース１と外装片であるスイッチカバー２と前ベース３と電池フタ４で外観を構成されている。スイッチカバー２は、本実施の形態１でいう機器の一面の略全域乃至一部を覆う外装片として、機器の一面をなしている。
【００２０】
図５、図６に示すように、本体ケース１の中には、電池５と、第一の光源６を搭載した制御基板７とスイッチ８と第二の光源９（２個）を搭載したスイッチ基板１０を内蔵していて、本体ケース１正面側の開口には、反射鏡１１と透明板１２を配し、最外部には前ベース３を取り付けて第一の発光部１３を形成している。本体ケース１の背面側の電池フタ４を取り外し電池の着脱を行うことができる。電池５は、第１の中継リード１６ａと第２の中継リード１６ｂによって連結され、電池終端の＋、−各端子から伸びた＋接続リード１４、−接続リード１５は制御基板７に導通し電力を供給可能としている。本体ケース１の上面開口に設置されたスイッチ基板１０は、制御基板とリード線１７で接続されており、スイッチ基板１０に搭載されたスイッチ８が押されることで、電源の入り切りを切り替えることができる。
【００２１】
図５〜図７の各図で示すように、スイッチカバー２は、本体ケース１の上面開口を覆うように、スイッチカバー２の外輪部で嵌合している。図７、図８（ａ）に示すように本体ケース１の上面開口の外輪部には、スイッチカバー２の係止状態が一様になるように第１の凸爪１８ａ、第２の凸爪１８ｂ、第３の凸爪１８ｃ、第４の凸爪１８ｄの４箇所設け、スイッチカバー２の外輪部の内壁には、第１の凸爪１８ａ、第２の凸爪１８ｂ、第３の凸爪１８ｃ、第４の凸爪１８ｄに対応する位置に第１の凹み１９ａ、第２の凹み１９ｂ、第３の凹み１９ｃ、第４の凹み１９ｄを設けている。図７では第１の凸爪１８ａ、第２の凸爪１８ｂに対応した位置に第１の凹み１９ａ、第２の凹み１９ｂしか記載されていないが、第３の凸爪１８ｃ、第４の凸爪１８ｄや第３の凹み１９ｃ、第４の凹み１９ｄについても同様に、第３の凸爪１８ｃ、第４の凸爪１８ｄに対応した位置に第３の凹み１９ｃ、第４の凹み１９ｄが設けられている。図７に示す凹み幅１９ｗは凸爪幅１８ｗに対しては広くなっていて、本体上面における内部方向と外部方向に一定のストロークを持って往復動可能な状態で係止されている。
【００２２】
本実施の形態１において、スイッチカバー２は透光性のある乳白色の材料で成形されていて、スイッチ基板１０に実装された第二の光源９の光を外部に照射する第二の発光部２０として利用できる。第一の発光部１３を主に前照灯として、第二の発光部２０を拡散光のランタンとして使い分けて使用することができる。スイッチ８が押されるたびに、第一の発光部１３と第二の発光部２０の点灯を切り替える仕様にしてもよいし、もちろん、目的に応じてスイッチカバーを不透明にして第一の発光部のみの仕様、または、第二の発光
部のみの仕様としてもよい。
【００２３】
図５および図６に示すように、本体ケース１上面開口には、透明樹脂材料のインナーカバー２１が嵌まっている。前述のようにスイッチカバー２を透光性の材料とする場合は、インナーカバー２１も透光性材料を使用する。インナーカバー２１の中央には本体ケース１内部のスイッチ８と重なる位置にスイッチゴム２２が配置されていて、スイッチカバー２の中央内側にはボス２３があり、スイッチカバー２を外部から押し込むとボス２３の先端がスイッチゴム２２と共にスイッチ８を押し込む構造である。スイッチゴム２２は、インナーカバー２１と共に本体ケース１内部への浸水を防ぐ目的で利用される。また、スイッチゴム２２は、ボス２３とスイッチ８の間に入り、スイッチカバー２を外部から突いた衝撃を和らげる目的においても望ましい。
【００２４】
図５〜図７で示すように、インナーカバー２１の外輪部は本体ケース１の上面開口とスイッチカバー２の外輪部内側の段に挟まる構成とし、インナーカバー２１は、その外輪部の４箇所を薄板状に切り起こした第１の板バネ部２４ａ、第２の板バネ部２４ｂ、第３の板バネ部２４ｃ、第４の板バネ部２４ｄを設けている。第１の板バネ部２４ａ、第２の板バネ部２４ｂ、第３の板バネ部２４ｃ、第４の板バネ部２４ｄは、スイッチカバー外輪部内側の段に当たり、外部からの押し込みが無い限りはスイッチカバー２を外部方向に付勢した状態を保っている。第１の板バネ部２４ａ、第２の板バネ部２４ｂ、第３の板バネ部２４ｃ、第４の板バネ部２４ｄの材質は、ばね用鋼帯、りん青銅などの金属板、またはヒンジ特性に優れた割れにくい樹脂のいずれも使用可能であるが、今回はインナーケースの一部を切り起こしで薄板状にするので、透光性とヒンジ特性が両立できる透明のポリプロピレンとしている。
【００２５】
ここではスイッチカバー２の付勢状態を一様にするために４箇所としたが、スイッチカバー２の形状（円や四角）、大きさによって適宜、数量と設置間隔を決めればよく、これによってスイッチカバー２の形状自由度を制限されるものではない。
【００２６】
このように、構成部品の一部を切り起こして薄板状の弾性片として利用すれば、何箇所でも自由に、狭い隙間でも設置できて、簡素な構造、最小限の部品点数で低コストを実現できる。特にスイッチカバー２を光らせる場合は、このようにスイッチカバー２の外輪部の狭い範囲に対応できる薄板状の弾性片を利用し、更にこれらを透明材料で形成すると、スイッチカバー２の発光面に陰影ができにくく最適な組み合わせとなる。
【００２７】
本実施の形態１においては、説明便宜上、スイッチカバー２を上面としているが、携帯電灯本体の置き方は規定せず、スイッチカバー２が底面になるように置くこともあると考える。その場合、携帯電灯本体の質量によってスイッチカバー２が本体内部方向に押し付けられてしまいスイッチ８が誤作動する可能性がある。そのため、スイッチカバー２の付勢手段としては、少なくとも携帯電灯の質量と同等以上のバネ圧をもってスイッチカバー２を外部方向に押し返すように設計することが望ましい。すでにスイッチカバー２の外輪付近に薄板状の弾性片を付勢手段として設けているが、電源に使用する電池の大きさなどで携帯電灯の質量は大きく変わるため、必要とする付勢力に応じて適宜、他の位置に付勢手段を追加してもよい。本実施の形態１では、スイッチカバー２の中央内側のボス２３にコイルバネ２５を追加で取り付けた。インナーカバー２１とスイッチカバー２の間にコイルバネ２５が入り、スイッチカバー２を押し返すように構成している。
【００２８】
さらに、図５〜図７に示すように、本体ケース１とスイッチカバー２の間には、スイッチカバー２の往復動を制限する連結制限部品であるロックレバー２６を設けた。ロックレバー２６の設置状態は、図８（ａ）、図８（ｂ）によって説明する。図８（ａ）は、スイッチカバー２を取り除き、携帯電灯を上面方向（図２の方向）から見てロックレバー２６
がロック位置に嵌まっていない状態を表す図である。図８（ｂ）は、同じ方向から見てロックレバー２６がロック位置に嵌まっている状態を表す図である。ロックレバー２６は、本体ケース１の上面開口に収められたインナーカバー２１の内側長方形の凹みスペースに嵌まるように取り付けられていて、端部はインナーカバー２１から出ている保持爪２７で規制されている。ロックレバー２６も同じく長方形の外観であるが、ロックレバー２６の長辺はインナーカバー２１の内側長方形の長辺よりも少し短くし、インナーカバー２１の内側長方形の長辺に沿って往復動可能としている。
【００２９】
インナーカバー２１は４箇所の第１の板バネ部２４ａ、第２の板バネ部２４ｂ、第３の板バネ部２４ｃ、第４の板バネ部２４ｄの下に空間をあけ、第１のロック位置２８ａ、第２のロック位置２８ｂ、第３のロック位置２８ｃ、第４のロック位置２８ｄを形成している。ロックレバー２６は、その第１のロック位置２８ａ、第２のロック位置２８ｂ、第３のロック位置２８ｃ、第４のロック位置２８ｄに丁度嵌まる形状に加工した、制限部品である第１の凸部２９ａ、第２の凸部２９ｂ、第３の凸部２９ｃ、第４の凸部２９ｄの４箇所有していて、さらに、ロックレバー２６の一端より、本体外部に向けて一部を延伸し、スイッチカバー２と本体ケース１の境目付近に操作ツマミ３０を形成している。本実施の形態１では第二の光源９の発光時に陰影が出ないよう、できるだけスイッチカバー２の外輪付近でロック位置にするため第１の板バネ部２４ａ、第２の板バネ部２４ｂ、第３の板バネ部２４ｃ、第４の板バネ部２４ｄの下をくり抜いてロック位置としたが、ロック位置の作り方はこの限りではない。特に図示はしないが、スイッチカバー２が不透明の場合などは、スイッチカバー２の裏側の任意の場所にリブを突出させておいて、そのリブと本体の隙間に丁度嵌まる制限部品を作れば良い。
【００３０】
次に、ロックレバー２６の機能について、図９（ａ）、図９（ｂ）を使って説明する。なお、図９と後述の図１１には、第２の凸部２９ｂ、第４の凸部２９ｄ、第２のロック位置２８ｂ、第４のロック位置２８ｄ、第２の板バネ部２４ｂ、第４の板バネ部２４ｄを記載し、第３の凸部２９ｃ、第１の凸部２９ａ、第３のロック位置２８ｃ、第１のロック位置２８ａ、第３の板バネ部２４ｃ、第１の板バネ部２４ａは記載していない。しかし、構造や動作は第２の凸部２９ｂ、第４の凸部２９ｄ、第２のロック位置２８ｂ、第４のロック位置２８ｄ、第２の板バネ部２４ｂ、第４の板バネ部２４ｄと同じである。
【００３１】
図９（ａ）は図５に示すＢ−Ｂ方向から見た断面でスイッチカバー２周辺のみを抜粋した図で、ロックレバー２６の位置は図８（ａ）と対応させたものである。図９（ｂ）は同じ方向から見て、ロックレバー２６の位置は図８（ｂ）と対応させたものである。
【００３２】
通常どおりスイッチ８を作動させたいときは、操作ツマミ３０を図８（ａ）の位置にする。この位置では、図９（ａ）のようにロックレバー２６の第１の凸部２９ａ、第２の凸部２９ｂ、第３の凸部２９ｃ、第４の凸部２９ｄが第１のロック位置２８ａ、第２のロック位置２８ｂ、第３のロック位置２８ｃ、第４のロック位置２８ｄに嵌まっていない。
【００３３】
そのため、外部よりスイッチカバー２を押した場合、スイッチカバー２が第１の板バネ部２４ａ、第２の板バネ部２４ｂ、第３の板バネ部２４ｃ、第４の板バネ部２４ｄを撓ませながら沈み込ませることができる。一方、操作ツマミを図８（ｂ）の位置に動かすと、図９（ｂ）のように第１のロック位置２８ａ、第２のロック位置２８ｂ、第３のロック位置２８ｃ、第４のロック位置２８ｄに第１の凸部２９ａ、第２の凸部２９ｂ、第３の凸部２９ｃ、第４の凸部２９ｄが入り込む。そのため、外部よりスイッチカバー２を押しても第１の板バネ部２４ａ、第２の板バネ部２４ｂ、第３の板バネ部２４ｃ、第４の板バネ部２４ｄは撓まないので、スイッチカバー２は動かない。スイッチカバー２が動かないのでスイッチ８は作動しなくなる。このように、外部の操作ツマミ３０を動かす１アクションで、４箇所の第１のロック位置２８ａ、第２のロック位置２８ｂ、第３のロック位置２８
ｃ、第４のロック位置２８ｄに対して連動して同時に制限をかけることができる。
【００３４】
本実施の形態１ではロックレバー２６は長方形の内を切り抜いた環状になっていて、操作ツマミ３０を動かしたときの往復動でインナーカバー２１の中央のボス２３に当たらないように、また、第二の光源９の光を遮らないようになっている。ロックレバー２６の形状は、スイッチカバー２や本体ケース１の形、または、どこにロック位置を形成したいかによって自由に変えて構成することができる。
【００３５】
さらに、図８（ａ）、（ｂ）で示すように、ロックレバー２６の長方形の長辺に凸コブ３１を作り、インナーカバー２１には制限コブ３２を作り、図８（ａ）の位置から図１０（ｂ）の位置にロックレバー２６が移動する際に凸コブ３１が制限コブ３２を乗り越えるようにすると、操作ツマミ３０を動かすときに一定の操作力が付加できるので、スイッチ機能の制限状態と制限解除状態の選択及び状態の維持ができる。操作ツマミ３０は、スイッチカバー２の側面に沿う位置に配置されているが、携帯電灯の持ち運び時などでの誤動作を防ぐため、操作ツマミ３０の左右に保護壁３３を設けるなどして誤動作防止をするのが望ましい。保護壁３３は図３、図４、図５に示した。誤動作防止方法としてはこの限りではなく、操作ツマミ部を小さくしてペン先のような物で操作させることもできる。ケース外観面以下に凹めて誤動作を防止してもよい。
【００３６】
なお、図３の外観に示すように、携帯電灯の外観には、スイッチ機能の制限状態と解除状態を示す表示３４を行い、操作ツマミ３０の位置で現在の状態がわかるようにするのが望ましい。
【００３７】
続いて、前述までの構成においてスイッチ８が作動するときのスイッチカバー２の動きを図１０と図１１を用いて説明する。図１０（ａ）、図１０（ｂ）は、図５に示すＢ−Ｂの方向に見て、内部機構を省略しスイッチカバー２の係止状態を抜粋表示した図であり、図１０（ａ）はスイッチカバー２が傾斜しスイッチ８が押下された状態を表す。図１０（ｂ）は、スイッチカバー２が傾斜せずスイッチ８が押下されていない状態を表す。
【００３８】
スイッチカバー２はその外輪部を外部方向に付勢されながら係止がされているので、図２および図１０（ａ）にて示す力点Ｐを押した場合において係止点Ｋは付勢されたその位置を保ち、係止点Ｋを支点として力点Ｐが下がりスイッチカバーが傾斜する。力点Ｐの傾斜と共にスイッチ作用点Ｓも下がり、スイッチ８が押される。
【００３９】
図１０に示すように、このとき、Ｋ−Ｐ間の距離をＤ１とし、Ｋ−Ｓ間の距離をＤ２とすると、Ｄ１：Ｄ２＝概ね３：１であり、この位置関係より、例えば図１０（ｂ）に示す力点Ｐの押しストロークＰ（ｓ）を３ｍｍとした場合、スイッチ作用点Ｓは約１ｍｍ下がることになる。そのため、１ｍｍの押しストローク以内で作動する仕様でスイッチ８を選定すればよい。このように、スイッチカバー２の中央にスイッチ８を配置し、スイッチ８より最遠の押下点（ここではＰ点）を押して確実に中央のスイッチ８が作動するように設計すると、スイッチカバー２の面積が広くとも、スイッチカバー２のどの点を押下しても一様にスイッチ作動ができる。
【００４０】
図１１（ａ）、（ｂ）は、図１０（ａ）、（ｂ）と同じくロックレバー２６をＰ点で押した状態にて、内部機構を省略していない図で。図１１（ａ）はロックレバー２６の位置を図８（ａ）と対応させ、図１１（ｂ）は、ロックレバー２６の位置を図８（ｂ）と対応させた。重複説明となるが、図１１（ａ）では第１のロック位置２８ａ、第２のロック位置２８ｂ、第３のロック位置２８ｃ、第４のロック位置２８ｄに、第１の凸部２９ａ、第２の凸部２９ｂ、第３の凸部２９ｃ、第４の凸部２９ｄが嵌まっていないので、第１の板バネ部２４ａ、第２の板バネ部２４ｂ、第３の板バネ部２４ｃ、第４の板バネ部２４ｄが
撓んでスイッチカバー２は押下可能である。図１１（ｂ）ではＰ点を押してもスイッチカバー２は動かない。
【００４１】
以上に述べたように、本発明によれば、本体自体を押すことにより電源の入り切り操作を可能とした構成において、置き台が無くとも安定設置でき、本体の置き方を限定せず、スイッチ操作を確実とし、かつ、不意にスイッチが作動してしまう心配のないようにスイッチ作動の制限、制限解除を行う機能を持った使い勝手の良い携帯電灯を提供することができる。また、携帯電灯の形は本実施の形態１のような四角型に限るものではなく、本体を円筒型にしたりスイッチカバーをドーム状にしたりと自由に設計ができる。
【産業上の利用可能性】
【００４２】
本発明は、常備の電灯に広く用いることができる。本体の一面を押しての良好な操作性の確保と持ち出し時のスイッチ誤動作防止にて、普段の利用から災害時など有事への備えに大いに役立つ。また、携帯電灯だけでなく、大型の操作部と相反する誤動作を解決したものとして、様々な機器の操作スイッチに広く利用できる可能性がある。
【符号の説明】
【００４３】
１    本体ケース
２    スイッチカバー
３    前ベース
４    電池フタ
５    電池
６    第一の光源
７    制御基板
８    スイッチ
９    第二の光源
１０    スイッチ基板
１１    反射鏡
１２    透明板
１３    第一の発光部
１４    ＋接続リード
１５    −接続リード
１６ａ  第１の中継リード、
１６ｂ  第２の中継リード
１７    リード線
１８ａ  第１の凸爪
１８ｂ  第２の凸爪
１８ｃ  第３の凸爪
１８ｄ  第４の凸爪
１８ｗ  凸爪幅
１９ａ  第１の凹み
１９ｂ  第２の凹み
１９ｃ  第３の凹み
１９ｄ  第４の凹み
１９ｗ  凹み幅
２０    第二の発光部
２１    インナーカバー
２２    スイッチゴム
２３    ボス
２４ａ  第１の板バネ部
２４ｂ  第２の板バネ部
２４ｃ  第３の板バネ部
２４ｄ  第４の板バネ部
２５    コイルバネ
２６    ロックレバー
２７    保持爪
２８ａ  第１のロック位置
２８ｂ  第２のロック位置
２８ｃ  第３のロック位置
２８ｄ  第４のロック位置
２９ａ  第１の凸部
２９ｂ  第２の凸部
２９ｃ  第３の凸部
２９ｄ  第４の凸部
３０    操作ツマミ
３１    凸コブ
３２    制限コブ
３３    保護壁
３４    スイッチ機能の制限状態と解除状態を示す表示
【図１】
2019145240.tif 000003
【図２】
2019145240.tif 000004
【図３】
2019145240.tif 000005
【図４】
2019145240.tif 000006
【図５】
2019145240.tif 000007
【図６】
2019145240.tif 000008
【図７】
2019145240.tif 000009
【図８】
2019145240.tif 000010
【図９】
2019145240.tif 000011
【図１０】
2019145240.tif 000012
【図１１】
2019145240.tif 000013